(57)【特許請求の範囲】
【請求項１】
温水器の脚部を固定するための温水器固定金物であって、
該温水器固定金物は、本体部と、該本体部内部に格納される押圧部を有して構成されており、
前記本体部は、
相対向して起立する複数の側面部と、
該側面部の上端辺を被覆するように形成された天面部と、を少なくとも有して構成されるとともに、
前記押圧部は、
前記側面部の内壁に沿って立設する２個の押圧部側壁を少なくとも有して構成されており、
前記天面部は、前方から後方へ向けて上昇するように傾斜した斜面として形成されるとともに、前記押圧部側壁の上端辺は前記天面部の内壁面と整合するように傾斜して、前記天面部の内壁面に沿って配設され、
前記押圧部は、水平方向に移動するとともに前記天面部の内壁面に沿って上下方向に変位することを特徴とする温水器固定金物。
【請求項２】
前記本体部は、
前記側面部の前方側一端辺間を架橋するように形成された前面部を更に備え、
前記天面部は、複数の前記側面部の前方側上端辺と前記前面部の上端辺とで形成される部分を被覆するように形成されており、
前記押圧部は、
前記前面部の内壁に沿って立設し、前記押圧部側壁の前方側一端辺間を架橋するように形成された押圧部前面壁を更に有して構成されており、
前記天面部は、前記前面部との接合部から後方へ向けて上昇するように傾斜した斜面として形成されるとともに、前記押圧部側壁の上端辺は前記天面部の内壁面と整合するように傾斜して、前記天面部の内壁面に沿って配設され、
前記前面部には本体部調整ボルト貫通孔が形成されるとともに前記押圧部前面壁には押圧部調整ボルト螺設孔が形成され、前記本体部調整ボルト貫通孔及び前記押圧部調整ボルト螺設孔は連通する連通孔で、該連通孔には調整ボルトが貫通されており、
前記押圧部調整ボルト螺設孔は前記調整ボルトに螺合し、前記調整ボルトを回転させることにより、前記押圧部は、水平方向に移動するとともに前記天面部の内壁面に沿って上下方向に変位することを特徴とする請求項１に記載の温水器固定金物。
【請求項３】
前記側面部の下方端辺側には、前方から後方へ向かって切欠かれた切欠き部が形成されていることを特徴とする請求項１又は請求項２に記載の温水器固定金物。
【請求項４】
前記側面部の下方側端辺の後方から略中央部からは、略垂直に屈曲して延出する固定片が形成されており、前記固定片の前方側端辺からは、略垂直に起立するとともに前記前面部と略平行に配設される係止リブが形成されていることを特徴とする請求項２に記載の温水器固定金物。
【請求項５】
前記調整ボルトは、前記前面部の前方外側面側に頭部が配設されるとともに他端部が前記前面部の内部壁面から前記本体部内部側に突出するように前記連通孔を貫通することを特徴とする請求項２に記載の温水器固定金物。
【請求項６】
前記調整ボルトは、前記前面部の内壁面側に頭部が配設されるとともに他端部が前記前面部の前方外側面から突出するように前記連通孔を貫通することを特徴とする請求項２に記載の温水器固定金物。
【請求項７】
前記天面部の最上部と本体部の下端部との距離は、前記脚部の高さよりも大きくなるよう構成されていることを特徴とする請求項１に記載の温水器固定金物。
【請求項８】
温水器の脚部を固定するための温水器固定金物を使用して、前記温水器を固定する温水器固定方法であって、
前記温水器固定金物は、本体部と、該本体部内部に格納される押圧部を有して構成されており、前記本体部は、相対向して起立する２個の側面部と、該側面部の前方側一端辺間を架橋するように形成された前面部と、２個の前記側面部の前方側上端辺と前記前面部の上端辺とで形成される略コ字部分を被覆するように形成された天面部と、を有して構成されるとともに、前記押圧部は、前記側面部の内壁に沿って立設する２個の押圧部側壁と、前記前面部の内壁に沿って立設し、前記押圧部側壁の前方側一端辺間を架橋するように形成された押圧部前面壁と、を有して構成されており、
前記天面部は、前記前面部との接合部から後方へ向けて上昇するように傾斜した斜面として形成されるとともに、前記押圧部側壁の上端辺は前記天面部の内壁面と整合するように傾斜して、前記天面部の内壁面に沿って配設され、
前記前面部には本体部調整ボルト貫通孔が形成されるとともに前記押圧部前面壁には押圧部調整ボルト螺設孔が形成され、前記本体部調整ボルト貫通孔及び前記押圧部調整ボルト螺設孔は連通する連通孔で、該連通孔には調整ボルトが貫通されており、
前記押圧部調整ボルト螺設孔は前記調整ボルトに螺合し、前記調整ボルトを回転させることにより、前記押圧部は、水平方向に移動するとともに前記天面部の内壁面に沿って上下方向に変位するよう構成されており、
前記温水器固定金物を床面所定位置に固定する第１の工程と、
前記側面部の下方端辺側に形成される、前方から後方へ向かって切欠かれた切欠き部に、前記脚部を床面に固定するための平板状の下端板を挿入する第２の工程と、
前記調整ボルトを回転させて、前記押圧部を水平方向に移動させることにより前記押圧部を下方向へ変位させて前記下端板を押圧固定する第３の工程と、を備えることを特徴とする温水器固定方法。
【請求項９】
前記温水器固定金物は、前記調整ボルトが、前記前面部の前方外側面側に頭部が配設されるとともに他端部が前記前面部の内部壁面から前記本体部内部側へ突出するように前記連通孔を貫通する第１温水器固定金物と、
前記調整ボルトが、前記前面部の内壁面側に頭部が配設されるとともに他端部が前記前面部の前方外側面から突出するように前記連通孔を貫通する第２温水器固定金物と、を有して構成されており、
前記第１の工程においては、前記第１温水器固定金物を床面所定位置に固定し、
前記第２の工程においては、前記第１温水器固定金物に形成された前記切欠き部に前記下端板を挿入し、
前記第３の工程においては、前記第１温水器固定金物を構成する前記押圧部により前記下端板を押圧固定し、
前記第２温水器固定金物に形成された前記切欠き部を、前記下端板の前記第１温水器固定金物が配設される側と対向する対向側、若しくは他の脚部を構成する下端板の前記第１温水器固定金物が配設される側と対向する対向側に挿入する第４の工程と、
前記第２温水器固定金物に備えられる前記調整ボルトを、前記第２温水器固定金物の内部から回転させて、前記第２温水器固定金物を構成する前記押圧部を水平方向に移動させることにより、前記第２温水器固定金物を構成する前記押圧部を下方向へ変位させて前記下端板の前記対向側を押圧固定する第５の工程と、
前記第２温水器固定金物を床面に固定する第６の工程と、を備えることを特徴とする請求項８に記載の温水器固定方法。
【発明の詳細な説明】
【技術分野】
【０００１】
本発明は、温水器の脚部を固定することにより、温水器を設置するための温水器固定金物及び温水器固定方法に関するものである。
【背景技術】
【０００２】
例えば、室内に温水器を設置する場合、様々な事態に対応することができるよう、この温水器を確実に設置する必要がある。
このため、温水器の脚部を確実に固定する方法が様々に開発されている（例えば、特許文献１及び特許文献２参照）。
【０００３】
特許文献１には、電気温水器の設置構造が開示されている。
特許文献１には、床盤から上方へ突出するように固定された長ボルトの上端部を電気温水器の固定脚に形成された固定孔（ボルト孔）に挿通させて、各座金を介してナットを螺合させることにより、電気温水器の固定脚を床盤に固定するよう構成された電気温水器の設置構造が開示されている。
【０００４】
特許文献２には、電気温水器の据付装置が開示されている。
特許文献２には、床から上方へ突出するように固定されたアンカーボルトの上端部を温水器の脚に形成された切欠きに挿通させて、角形ワッシャを介してナットを螺合させることにより、温水器の脚を床に固定するよう構成された電気温水器の据付装置が開示されている。
【先行技術文献】
【特許文献】
【０００５】
【特許文献１】特開２００６−１５３３７８号公報
【特許文献２】特開２００１−０４１５９０号公報
【発明の概要】
【発明が解決しようとする課題】
【０００６】
このように、特許文献１及び特許文献２においては、床に固定されたアンカーボルトに、温水器の脚を固定することにより、確実に温水器を設置することができる。
しかし、例えば、屋内温水器は、一般的に部屋の隅部等、周囲を間仕切り等に囲まれた狭小空間に設置されることが多く、このような場合に、特許文献１のように重量物を持ち上げてアンカーボルト上端部に脚部に形成されたボルト孔を整合させる方法は、非常に労力を要し作業効率の悪いものであった。
また、狭小空間での作業であるため、周囲の壁等を傷つけることがないよう配慮する必要があった。
【０００７】
なお、特許文献２の技術では、脚に形成された切欠き部にアンカーボルト上端部を整合させることとなるため、温水器自体を切欠きが形成される方向へとずらすことにより整合させることができる。
よって、特許文献１よりもアンカーボルトを整合させることは若干容易となるが、重量物である温水器を移動させることには変わりなく、また、重量物である温水器を移動させながら、複数の脚の切欠きを同時に整合させなければならず、特許文献１と同様、非常に労力を要し、周囲の壁等に配慮しなければならないという問題点は依然として解消されていなかった。
【０００８】
本発明の目的は、上記各問題点を解決することにあり、温水器の脚部を簡易かつ確実に固定することができ、狭小空間での設置を容易にすることが可能な温水器固定金物及び温水器固定方法を提供することにある。
【課題を解決するための手段】
【０００９】
上記課題は、請求項１に係る温水器固定金物によれば、温水器の脚部を固定するための温水器固定金物であって、該温水器固定金物は、本体部と、該本体部内部に格納される押圧部を有して構成されており、前記本体部は、相対向して起立する複数の側面部と、該側面部の上端辺を被覆するように形成された天面部と、を少なくとも有して構成されるとともに、前記押圧部は、前記側面部の内壁に沿って立設する２個の押圧部側壁を少なくとも有して構成されており、前記天面部は、前方から後方へ向けて上昇するように傾斜した斜面として形成されるとともに、前記押圧部側壁の上端辺は前記天面部の内壁面と整合するように傾斜して、前記天面部の内壁面に沿って配設され、前記押圧部は、水平方向に移動するとともに前記天面部の内壁面に沿って上下方向に変位することにより解決される。
より、具体的には、前記本体部は、前記側面部の前方側一端辺間を架橋するように形成された前面部を更に備え、前記天面部は、複数の前記側面部の前方側上端辺と前記前面部の上端辺とで形成される部分を被覆するように形成されており、前記押圧部は、前記前面部の内壁に沿って立設し、前記押圧部側壁の前方側一端辺間を架橋するように形成された押圧部前面壁を更に有して構成されており、前記天面部は、前記前面部との接合部から後方へ向けて上昇するように傾斜した斜面として形成されるとともに、前記押圧部側壁の上端辺は前記天面部の内壁面と整合するように傾斜して、前記天面部の内壁面に沿って配設され、前記前面部には本体部調整ボルト貫通孔が形成されるとともに前記押圧部前面壁には押圧部調整ボルト螺設孔が形成され、前記本体部調整ボルト貫通孔及び前記押圧部調整ボルト螺設孔は連通する連通孔で、該連通孔には調整ボルトが貫通されており、前記押圧部調整ボルト螺設孔は前記調整ボルトに螺合し、前記調整ボルトを回転させることにより、前記押圧部は、水平方向に移動するとともに前記天面部の内壁面に沿って上下方向に変位するよう構成されていると好適である。
【００１０】
また、上記課題は、請求項８に係る温水器固定方法によれば、温水器の脚部を固定するための温水器固定金物を使用して、前記温水器を固定する温水器固定方法であって、前記温水器固定金物は、本体部と、該本体部内部に格納される押圧部を有して構成されており、前記本体部は、相対向して起立する２個の側面部と、該側面部の前方側一端辺間を架橋するように形成された前面部と、２個の前記側面部の前方側上端辺と前記前面部の上端辺とで形成される略コ字部分を被覆するように形成された天面部と、を有して構成されるとともに、前記押圧部は、前記側面部の内壁に沿って立設する２個の押圧部側壁と、前記前面部の内壁に沿って立設し、前記押圧部側壁の前方側一端辺間を架橋するように形成された押圧部前面壁と、を有して構成されており、前記天面部は、前記前面部との接合部から後方へ向けて上昇するように傾斜した斜面として形成されるとともに、前記押圧部側壁の上端辺は前記天面部の内壁面と整合するように傾斜して、前記天面部の内壁面に沿って配設され、前記前面部には本体部調整ボルト貫通孔が形成されるとともに前記押圧部前面壁には押圧部調整ボルト螺設孔が形成され、前記本体部調整ボルト貫通孔及び前記押圧部調整ボルト螺設孔は連通する連通孔で、該連通孔には調整ボルトが貫通されており、前記押圧部調整ボルト螺設孔は前記調整ボルトに螺合し、前記調整ボルトを回転させることにより、前記押圧部は、水平方向に移動するとともに前記天面部の内壁面に沿って上下方向に変位するよう構成されており、前記温水器固定金物を床面所定位置に固定する第１の工程と、前記側面部の下方端辺側に形成される、前方から後方へ向かって切欠かれた切欠き部に、前記脚部を床面に固定するための平板状の下端板を挿入する第２の工程と、前記調整ボルトを回転させて、前記押圧部を水平方向に移動させることにより前記押圧部を下方向へ変位させて前記下端板を押圧固定する第３の工程と、を備えることにより解決される。
【００１１】
このように、本発明によれば、調整ボルトを回転させるのみで、押圧部を水平移動させ、結果、押圧部を上下方向に変位させることができる。
つまり、調整ボルトはその水平位置を変えないため、調整ボルトの回転により、調整ボルトに螺合する押圧部が、前面部側に引き寄せられたり、離隔されたりする（つまり、押圧部が水平方向に移動する）。
【００１２】
また、このとき本体部を構成する天面部は、後方から前方（前面部配設側）に向かい下降する斜面となっているため、押圧部が前面部方向へ引き寄せられると、押圧部は天面部の斜面に沿って下降していくこととなる。
よって、押圧部の下端側（押圧固定部）で下方を押圧固定できるようになる。
このように、本発明によれば、調整ボルトを回転させるのみで下端板を押圧固定することができ、よって簡易に温水器の脚部を押圧固定することができる。
【００１３】
このとき、前記側面部の下方端辺側には、前方から後方へ向かって切欠かれた切欠き部が形成されていると好適である。
このように構成されているため、この切欠き部に、温水器固定金物を構成する下端板の端部を挿入して固定することができる。
よって、簡易に、下端板に温水器固定金物を配設することができる。
なお、この切欠き部は、下端板の厚みよりも若干大きい程度が望ましい。
【００１４】
また、このとき、前記側面部の下方側端辺の後方から略中央部からは、略垂直に屈曲して延出する固定片が形成されており、前記固定片の前方側端辺からは、略垂直に起立するとともに前記前面部と略平行に配設される係止リブが形成されていると好適である。
このように構成されていると、係止リブが障害物となり、引抜き力に抗うことができる。
【００１５】
更に、請求項１に記載の温水器固定金物において、前記調整ボルトは、前記前面部の前方外側面側に頭部が配設されるとともに他端部が前記前面部の内部壁面から前記本体部内部側に突出するように前記連通孔を貫通するよう構成されていると好適である。
また、更に、請求項１に記載の温水器固定金物において、前記調整ボルトは、前記前面部の内壁面側に頭部が配設されるとともに他端部が前記前面部の前方外側面から突出するように前記連通孔を貫通するよう構成されていると好適である。
【００１６】
このように、調整ボルトの配設位置の異なる２種類の温水器固定金物が備えられていると、これら２種類の温水器固定金物の各前面部を対向させて配設することができる。
つまり、設置場所奥側の温水器脚部を構成している下端板の奥側辺部分と、設置場所手前側の温水器脚部を構成している下端板の手前側辺部分とを各温水器固定金物で固定することができる。
また、１個の下端板の対向する両辺側を各温水器固定金物で固定することもできる。
つまり、奥側の下端板及び手間側の下端板に各々温水器固定金物を配設する場合であっても、１個の下端板の対向する辺の各々に温水器固定金物を配設する場合であっても、２個の温水器固定金物の前面部を各々対向させた状態で配設すると、一方を配設する場合には双方どちら側からでも調整ボルトを回転させることができるが、他方を配設する場合には、前面部の前方外側面側からは調整ボルトを締結することが困難若しくは不可能であるという問題が生じることとなる。
よって、調整ボルトの頭部配設位置を変えた２種類の温水器固定金物を備えることによってこの問題を解消し、下端板の対向する両辺側を各温水器固定金物で固定することが可能となる。
【００１７】
また、請求項１に記載の温水器固定金物において、前記天面部の最上部と本体部の下端部との距離は、前記脚部の高さよりも大きくなるよう構成されている構成されていると好適である。
【００１８】
本発明においては、本体部を構成する天面部は前面部との接合部から後方へ向けて上昇するように傾斜した斜面となっているため、側面部、天面部、前面部により、本体部の前方の外形は、楔型となっている。
そして、この天面部の最上部（上記楔型最頂部：後方側）と本体部の下端部との距離が、温水器の脚部の高さよりも大きくなるように構成されていると、温水器固定金物に楔としての機能を付加し、確実に脚部を固定することができるため好適となる。
ただし、温水器の脚部の高さが、天面部の最上部（上記楔型最頂部：後方側）と本体部の下端部との距離よりも大きい場合には、楔としての機能を果たすわけではないが、下端板は、上位請求項記載の構成において十分に果たすことは可能である。
【００１９】
また、請求項９に記載の温水器固定方法において、前記温水器固定金物は、前記調整ボルトが、前記前面部の前方外側面側に頭部が配設されるとともに他端部が前記前面部の内部壁面から前記本体部内部側突出するように前記連通孔を貫通する第１温水器固定金物と、前記調整ボルトが、前記前面部の内壁面側に頭部が配設されるとともに他端部が前記前面部の前方外側面から突出するように前記連通孔を貫通する第２温水器固定金物と、を有して構成されており、前記第１の工程においては、前記第１温水器固定金物を床面所定位置に固定し、前記第２の工程においては、前記第１温水器固定金物に形成された前記切欠き部に前記下端板を挿入し、前記第３の工程においては、前記第１温水器固定金物を構成する前記押圧部により前記下端板を押圧固定し、前記第２温水器固定金物に形成された前記切欠き部を、前記下端板の前記第１温水器固定金物が配設される側と対向する対向側、若しくは前記第１温水器固定金物が配設される側と対向する対向側に挿入する第４の工程と、前記第２温水器固定金物に備えられる前記調整ボルトを、前記第２温水器固定金物の内部から回転させて、前記第２温水器固定金物を構成する前記押圧部を水平方向に移動させることにより、前記第２温水器固定金物を構成する前記押圧部を下方向へ変位させて前記下端板の前記対向側を押圧固定する第５の工程と、前記第２温水器固定金物を床面に固定する第６の工程と、を備えるよう構成されていると好適である。
【００２０】
このように構成されているため、より確実に温水器の脚部を固定して温水器を立設することができる。
つまり、調整ボルトの配設位置の異なる２種類の温水器固定金物として、第１温水器固定金物と第２温水器固定金物を備えることにより、これらの温水器固定金物の各前面部を対向させて配設することができる。
つまり、下端板の対向する両辺側、若しくは、奥側及び手前側の脚部を各々構成する２個の下端板を各温水器固定金物で簡易かつ確実に固定することができる。
【発明の効果】
【００２１】
本発明によれば、調整ボルトを回転させるのみで、押圧部を水平移動させ、結果、押圧部を上下方向に変位させることができる。
つまり、調整ボルトを回転させることにより、後方から前方（前面部配設側）に向かい下降する斜面となっている天面部に沿って、押圧部が前面部方向へ引き寄せられるため、押圧部は天面部の斜面に沿って下降していくこととなる。
よって、押圧部の下端側で温水器の脚部を構成する下端板を押圧固定できるようになる。
このように、本発明によれば、調整ボルトを回転させるのみで下端板を押圧固定することができ、よって簡易に温水器の脚部を押圧固定することができる。
【００２２】
また、前記側面部の下方端辺側に、前方から後方へ向かって切欠かれた切欠き部が形成されているため、この切欠き部に下端板の端部を挿入して固定することができる。
よって、簡易に温水器固定金物に下端板を配設することができる。
更に、係止リブにより、引抜き力に抗うことができ、より強度の高い固定を実現することができる。
【００２３】
また、本発明においては、調整ボルトの配設位置の異なる２種類の温水器固定金物（第１温水器固定金物及び第２温水器固定金物）が備えられているため、これら２種類の温水器固定金物の各前面部を対向させて配設し、下端板の対向する両辺側を各温水器固定金物で固定することができる。
よって、より簡易かつ確実に強度の高い固定を実現することができる。
【００２４】
また、本発明においては、本体部を構成する天面部は前面部との接合部から後方へ向けて上昇するように傾斜した斜面となっているため、側面部、天面部、前面部により、本体部の前方の外形は、楔型となっている。
そして、本発明においては、この天面部の最上部（上記楔型最頂部：後方側）と本体部の下端部との距離は、温水器の脚部の高さよりも大きくなるように構成されているため、温水器固定金物に楔としての機能を付加し、確実に脚部を固定することができる。
以上のように、本発明においては、温水器の脚部を簡易かつ確実に固定することができ、狭小空間での設置を容易にすることができる。
【図面の簡単な説明】
【００２５】
【図１】本発明の一実施形態に係る第１温水器固定金物を示す斜視図である。
【図２】本発明の一実施形態に係る第１温水器固定金物を示す斜視図である。
【図３】本発明の一実施形態に係る押圧部を示す斜視図である。
【図４】本発明の一実施形態に係る第２温水器固定金物を示す斜視図である。
【図５】本発明の一実施形態に係る押圧部の機能を示す説明図である。
【図６】本発明の一実施形態に係る温水器脚部の取付状態を示す説明図である。
【発明を実施するための形態】
【００２６】
以下、本発明の一実施形態を図面に基づいて説明する。
なお、以下に説明する構成は本発明を限定するものでなく、本発明の趣旨の範囲内で種々改変することができるものである。
【００２７】
本実施形態は、温水器の脚部を簡易かつ確実に固定することができ、狭小空間での設置を容易にすることができる温水器固定金物及び温水器固定方法に関するものである。
【００２８】
図１乃至図６は、本発明に係る一実施形態を示すものであり、図１及び図２は第１温水器固定金物を示す斜視図、図３は押圧部を示す斜視図、図４は第２温水器固定金物を示す斜視図、図５は押圧部の機能を示す説明図、図６は温水器脚部の取付状態を示す説明図である。
【００２９】
まず、図１乃至図３により、本実施形態に係る第１温水器固定金物Ｓ１について説明する。
図２は、図１を裏面側から見た斜視図であり、第１温水器固定金物Ｓ１の内部構造を示す。
なお、温水器固定金物Ｓは上位概念であり、後述するが、調整ボルト３の貫通方向の違いにより、第１温水器固定金物Ｓ１及び第２温水器固定金物Ｓ２とが派生される。
図１及び図２に示すように、本実施形態に係る温水器固定金物Ｓ１は、本体部１、押圧部２（図２参照）、調整ボルト３と、を有して構成されている。
【００３０】
本実施形態に係る本体部１は、側面部１１，１１、天面部１２、前面部１３、固定片１４，１４、係止リブ１５，１５、を有して構成されている。
本実施形態に係る側面部１１は、略５角形状板体であり、最長辺１１ａの両端から略垂直に各々立上がる長さの異なる２辺（長い側を「立上がり長辺１１ｂ」、短い側を「立上がり短辺１１ｃ」と記す）、立ち上がり長辺１１ｂの上端部から最長辺１１ａと略平行に立上がり短辺１１ｃ側に延びる上部辺１１ｄ（上部辺１１ｄは、最長辺１１ａの略中央部分まで、最長辺１１ａと略平行に延びる）、上部辺の前方端（立上がり長辺１１ｂと接する側と反対側の端部）と立上がり短辺１１ｃとを架橋する本体部斜辺１１ｅとで構成される。
【００３１】
また、最長辺１１ａの略中央部から前方側（立上がり短辺１１ｃ側）は、略矩形に切り欠かれており、「切り欠き部Ｋ」が形成されている。
この切り欠き部Ｋの高さは、温水器の脚部を構成する下端板Ｐ１の肉厚より若干大きくなるように構成されており、この切り欠き部Ｋに下端板Ｐ１が挿入可能となっている。
側面部１１，１１は、最長辺１１ａを下方向に向けて、形状が整合するように、略平行に対向して配設される。
【００３２】
また、本実施形態に係る天面部１２は、相対向する側面部１１，１１を構成する本体部斜辺１１ｅ，１１ｅ間を架橋するように形成される斜面であり、前面部１３は、この天面部１２の下端辺から相対向する立上がり短辺１１ｃ，１１ｃと面一になるように垂下している。
この前面部１３には、本体部調整ボルト貫通孔１３ａが形成されている。
この本体部調整ボルト貫通孔１３ａは上下方向に長軸を有するルーズホールとして形成されている。
よって、この天面部１２は、後方から前方に向かい下降する（前方から後方へ向けて上昇する）斜面となる。
【００３３】
本実施形態に係る固定片１４は、側面部１１と略垂直を成すように、外側へ向かい屈曲する略矩形板状体であり、固定孔１４ａが形成されている。
なお、固定片１４は、立上がり長辺１１ｂが起立している端部から、上部辺１１ｄと斜辺１１ｅの接点位置と整合する位置付近に渡り、側面部１１の最長辺１１ａより外側へ屈曲するよう形成されている。
また、固定片１４,１４は、相対向する側面部１１，１１に各々形成されている。
【００３４】
また、本実施形態に係る係止リブ１５は、固定片１４の前面側端辺（前面部１３が形成される側の端辺）から上方（上部辺１１ｄが配設される側）へ向け略垂直に起立する略矩形状板体である。
なお、係止リブ１５，１５は、相対向する１１，１１に各々形成された固定片１４，１４に各々形成されている。
【００３５】
本体部１を構成する天面部１２は、後方から前方（前面部１３配設側）に向かい下降する斜面となっているため、側面部１１，１１、天面部１２、前面部１３により、本体部１の前方の外形は、楔型となっている。
そして、本実施形態においては、この天面部１２の最上部（上記楔型最頂部：後方側）と本体部１の下端部との距離は、温水器の脚部Ｐの高さよりも大きくなるように構成されている。
これは、設置方法を説明する際に後述するが、第１温水器固定金物Ｓ１に楔としての機能を付加し、確実に脚部Ｐを固定するためである。
【００３６】
図２及び図３に示すように、本実施形態に係る押圧部２は、押圧部側壁２１，２１、押圧部前面壁２２を有して構成されている。
押圧部側壁２１は、一角が略直角に形成された略台形状板体である。
２個の押圧部側壁２１，２１は、略直角の角を挟む側の斜辺を下方向に向けて、形状が整合するように、略平行に対向して配設される（つまり、相対向する上底及び下底が略並行に上下方向に起立するように配設される）。
【００３７】
２個の押圧部側壁２１，２１は、本体部１を構成する側面部１１,１１が対向する間隔より若干小さな間隔を空けて対向している。
つまり押圧部２は、本体部１内部に収納できるように構成されている。
【００３８】
また、相対向する押圧部側壁２１，２１の各上底（略平行な相対向する辺のうち短い側の辺）を架橋するように、略矩形板体の押圧部前面壁２２が形成されている。
この押圧部前面壁２２には、押圧部調整ボルト螺設孔２２ａが形成されている。
この押圧調整ボルト貫通孔２２ａ内壁面は螺子切りされており、調整ボルト３が螺合するように構成されている。
【００３９】
なお、上方側に配設される斜辺（略直角の角を挟む側の脚ではない方の脚である斜辺）の傾斜は、側面部１１を構成する本体部斜辺１１ｅの傾斜と整合するように構成されている。
以下、押圧部側壁２１を構成するこの斜辺を「押圧部側斜辺２１ａ」と記す。
また、押圧部側壁２１を構成する略直角の角を挟む側の脚側を「押圧固定部２１ｂ」と記す。
なお、押圧固定部２１ｂと押圧部前面壁２２との境界角部は、略三角形状に切り欠かれている。
このように、切り欠かれてできる押圧部固定部２１ｂから押圧部前面壁２２を連続させるようにのびる斜面を以下「補助斜面２１ｃ」と記す。
押圧部２は、下端板Ｐ１上に乗り上がる際、押圧部前面壁２２側から乗り上がる。そして、押圧部２は、この補助斜面２１ｃに沿って下端板Ｐ１上を乗り上がるとともに上昇し、押圧部側斜辺２１ａが本体部１の天面部１２内壁面に圧接するようになる。
よって、押圧部２は、より確実に下端板Ｐ１を押圧固定することが可能となる。
このように、補助斜面２１ｃは、押圧部２の下端板Ｐ１への乗り上げを円滑にするとともに、押圧部２を押し上げてより確実な押圧固定を可能とする機能を果たす。
【００４０】
本実施形態に係る調整ボルト３は、公知のボルトであり、ワッシャ等を介して、前面部１３及び押圧部前面壁２２に挿通され回転可能となっている。
【００４１】
図２に示すように、押圧部２は、本体部１に組み付けられる。
押圧部２は、その押圧部側斜辺２１ａ，２１ａが、本体部１を構成する本体部斜辺１１ｅ，１１ｅ両者を架橋する天面部１２の内壁面に整合して接し、押圧部前面壁２２が、本体部１を構成する前面部１３に内側で整合するように（略平行に対向するように）、本体部１内部に挿入される。
【００４２】
このとき、押圧部前面壁２２に形成される押圧部調整ボルト螺設孔２２ａと前面壁１３に形成される本体部調整ボルト貫通孔１３ａは連通するように構成されており、この押圧部調整ボルト螺設孔２２ａと本体部調整ボルト貫通孔１３ａとの連通孔に調整ボルト３がワッシャ及びナット等を介して相通され、この調整ボルト３により、押圧部２は本体部１に組み付けられている。
【００４３】
なお、第１温水器固定金物Ｓ１では、調整ボルト３は、頭部を外側に向けて固定されている。
つまり、本体部１の外側より調整ボルト３の回転ができるように構成されている。
後述するが、本実施形態においては、調整ボルト３はその水平位置を変えないため、調整ボルト３の回転により、調整ボルト３に螺合する押圧部２が、前面部１３側に引き寄せられたり、離隔されたりする（つまり、押圧部２が水平方向に移動する）。
【００４４】
また、このとき本体部１を構成する天面部１２は、後方から前方（前面部１３配設側）に向かい下降する斜面となっているため、押圧部２が前面部１３方向へ引き寄せられると、押圧部２は天面部１２の斜面に沿って下降していくこととなる。
よって、押圧部２の下端側（押圧固定部２１ｂ）で下方を押圧固定できるようになる。
【００４５】
また、図４に、第２温水器固定金物Ｓ２を示す。
第２温水器固定金物Ｓ２は、本体部１及び押圧部２は、第１温水器固定金物Ｓ１と同様の構成であるが、調整ボルト３の挿通方向が異なっている。
他の構成は、第１温水器固定金物Ｓ１と同様であるため、説明は省略する。
つまり、第２温水器固定金物Ｓ２においては、調整ボルト３は、頭部が本体部１の内側に配設されるように固定されている。
よって、第２温水器固定金物Ｓ２においては、調整ボルト３は、本体部１の内側より締結及び弛緩ができるように構成されることとなる。
【００４６】
次いで、図５により、押圧部２の機能を説明する。
なお、図５は、図１のＡ−Ａ線において切断した断面図となっている。
第１温水器固定金物Ｓ１及び第２温水器固定金物Ｓ２の押圧部２の機能は同様であるため、第１温水器固定金物Ｓ１で説明する。
図５（ａ）に示すように、押圧部２は、本体部１内部に組み付けられているが、この状態で調整ボルト３を締結させる向きに回転させると、この調整ボルト３は水平方向に移動することはできないため、押圧部調整ボルト螺設孔２２ａにより調整ボルト３と螺合している押圧部２がＸ方向に引き寄せられる。
【００４７】
前述のとおり、本体部１を構成する本体部斜辺１１ｅ，１１ｅ両者を架橋する天面部１２の内壁面に整合して接しているため、押圧部２は天面部１２の内壁面に沿って移動することとなる。
【００４８】
このとき、本体部斜辺１１ｅ，１１ｅ両者を架橋する天面部１２は、本体部斜辺１１ｅ，１１ｅの傾斜同様前面部１３に向かって下降するように傾斜しているので、押圧部２を構成する押圧部側壁２１,２１は、移動に伴い下降する。
よって、図５（ｂ）に示すように、移動に伴い、押圧部側壁２１，２１の下端側である押圧固定部２１ｂ，２１ｂが本体部１より下方側に突出してくる。
つまり、この突出する押圧固定部２１ｂ，２１ｂで、下方側を押圧することが可能となる。
【００４９】
図６により、このように構成された第１温水器固定金物Ｓ１及び第２温水器固定金物Ｓ２により、温水器の脚部Ｐを固定する方法を説明する。
温水器の脚部Ｐとしては、略平板状の板体（下端板Ｐ１に相当する構成）を設置面に当接させて固定する構成の脚であれば、本発明の趣旨を逸脱しない範囲で、どのような形態のものでもよいが、本実施形態においては、温水器の脚部Ｐとしてロ字型形状のものが使用される。
まず、第１温水器固定金物Ｓ１を床面に取付ける。
これは、所定位置に第１温水器固定金物Ｓ１を設置し、固定片１４，１４に形成された固定孔１４ａ，１４ａからボルト留めすることにより行う。
【００５０】
次いで、ロ字型形状の脚部Ｐを構成する下端板Ｐ１を側面からスライドさせて、切り欠き部Ｋに嵌め込む。
次いで、第１温水器固定金物Ｓ１の調整ボルト３を締結方向に回転させることにより、押圧部２を前面部１３方向に移動させ、押圧固定部２１ｂ，２１ｂにより下端板Ｐ１を押圧固定する。
【００５１】
このとき、本体部１を構成する天面部１２は、斜面となっているため、側面部１１，１１、天面部１２、前面部１３により、本体部１の前方の外形は、楔型となっている。
また、本実施形態においては、この天面部１２の最上部（上記楔型最頂部）と本体部１の下端部との距離は、温水器の脚部Ｐの高さ、つまり下端板Ｐ１と上端板Ｐ２（若しくは、温水器底面）との距離、よりも大きくなるように構成されている。
【００５２】
よって、本体部１の前方は、確実に下端板Ｐ１と上端板Ｐ２（若しくは、温水器底面）との間に入り込み、楔としての役割を果たす。
よって、本体部１の前方は、脚部Ｐを構成する下端板Ｐ１及び上端板Ｐ２（若しくは、温水器底面）間に確実に嵌合し、下端板Ｐ１は確実に押圧固定される。
なお、天面部１２の最上部（上記楔型最頂部）と本体部１の下端部との距離が、温水器の脚部Ｐの高さ、つまり下端板Ｐ１と上端板Ｐ２（若しくは、温水器底面）との距離よりも小さいものであっても、上記構成により、第１温水器固定金物Ｓ１によって下端板Ｐ１は確実に固定される。
【００５３】
次いで、第２温水器固定金物Ｓ２により、下端板Ｐ１を更に固定する。
なお、以下、説明は、下端板Ｐ１を更に固定する構成のものとしたが、これに限られるものではない。
つまり、第１温水器固定金物Ｓ１を設置場所奥側に配設される脚部Ｐを構成する下端板Ｐ１の奥側辺上に配設し、第２温水器固定金物Ｓ２を設置場所手前側に配設される脚部Ｐを構成する下端板Ｐ１の手前側辺上に配設するように構成されていてもよい。
まず、第２温水器固定金物Ｓ２を、下端板Ｐ１の他端辺（第１温水器固定金物Ｓ１が固定している側の辺と対向する辺側）に取付ける。
第２温水器固定金物Ｓ２をスライドさせて、第２温水器固定金物Ｓ２に形成されている切欠き部Ｋに下端板Ｐ１を嵌め込む。
【００５４】
つまり、第１温水器固定金物Ｓ１と第２温水器固定金物Ｓ２の前面部１３，１３を対向させるように（突き合わせるように）、第１温水器固定金物Ｓ１と第２温水器固定金物Ｓ２とを配設する。
このとき、２個の下端板Ｐ１，Ｐ１に、第１温水器固定金物Ｓ１及び第２温水器固定金物Ｓ２を各々配設する場合には、第２温水器固定金物Ｓ２の切欠き部Ｋは、設置場所手前側に配設される脚部Ｐを構成する下端板Ｐ１に、嵌め込まれる。
また、同様に、第１温水器固定金物Ｓ１と第２温水器固定金物Ｓ２の前面部１３，１３を対向させるように（突き合わせるように）、第１温水器固定金物Ｓ１と第２温水器固定金物Ｓ２とが配設される。
以下、第２温水器固定金物Ｓ２の固定方法は両者同様である。
【００５５】
この状態で、第２温水器固定金物Ｓ２の調整ボルト３を締結方向に回転させることにより、押圧部２を前面部１３方向に移動させ、押圧固定部２１ｂ，２１ｂにより下端板Ｐ１の他端辺側を押圧固定する。
このとき、第２温水器固定金物Ｓ２の調整ボルト３は、頭部を第２温水器固定金物Ｓ２の本体部１内部側に配設されているため、第２温水器固定金物Ｓ２の本体部１後方側よりドライバを差し込んで、調整ボルト３を回転させることができる。
【００５６】
このとき、第２温水器固定金物Ｓ２を構成する本体部１の外形は、第１温水器固定金物Ｓ１のものと同形であるため、その前方の外形は、楔型となっている。
また、第２温水器固定金物Ｓ２においても、天面部１２の最上部（上記楔型最頂部）と本体部１の下端部との距離は、温水器の脚部Ｐの高さ、つまり下端板Ｐ１と上端板Ｐ２（若しくは、温水器底面）との距離、よりも大きくなるように構成されている。
【００５７】
よって、第２温水器固定金物Ｓ２の本体部１の前方もまた、確実に下端板Ｐ１と上端板Ｐ２（若しくは、温水器底面）との間に入り込み、楔としての役割を果たす。
よって、第２温水器固定金物Ｓ２の本体部１の前方は、脚部Ｐを構成する下端板Ｐ１及び上端板Ｐ２（若しくは、温水器底面）間に確実に嵌合し、下端板Ｐ１は確実に押圧固定される。
なお、前述同様、天面部１２の最上部（上記楔型最頂部）と本体部１の下端部との距離が、温水器の脚部Ｐの高さ、つまり下端板Ｐ１と上端板Ｐ２（若しくは、温水器底面）との距離よりも小さいものであっても、上記構成により、第２温水器固定金物Ｓ２によって下端板Ｐ１は確実に固定される。
【００５８】
次いで、第２温水器固定金物Ｓ２を構成する固定片１４，１４に形成された固定孔１４ａ，１４ａからボルト留めすることにより、第２温水器固定金物Ｓ２を床面に固定する。
【００５９】
このように、本実施形態においては、第１温水器固定金物Ｓ１と第２温水器固定金物Ｓ２とで、脚部Ｐを構成する下端板Ｐ１の相対向する辺側を各々押圧することができ、脚部Ｐを確実に固定することができる。
また、各調整ボルト３，３をドライバ等で回転させるのみで、簡易に下端板Ｐ１を押圧することができるとともに、その前方形状により、楔としての機能も果たし、簡易かつ確実に脚部Ｐを固定することができる。
【００６０】
また、このとき、第１温水器固定金物Ｓ１及び第２温水器固定金物Ｓ２を構成する固定片１４，１４，１４，１４の前方端辺から起立する係止リブ１５，１５，１５，１５が、下端板Ｐ１を挟んで対向して起立しているため、引抜き力に抗うことができる。
【００６１】
以上のように、本実施形態に係る第１温水器固定金物Ｓ１及び第２温水器固定金物Ｓ２によれば、簡易に温水器の脚部Ｐを固定することができる。
つまり、両者の調整ボルト３，３を回転させるのみで、脚部Ｐの下端板Ｐ１を固定することができるとともに、その前方形状により、楔としての機能を果たし、より確実に下端板Ｐ１を固定することができる。
また、固定片１４の前方側端片から立ち上がる係止リブ１５により、引抜き力にも又抗うことができる。
【符号の説明】
【００６２】
１  本体部
１１  側面部
１１ａ  最長辺
１１ｂ  立上がり長辺
１１ｃ  立上がり短辺
１１ｄ  上部辺
１１ｅ  本体部斜辺
１２  天面部
１３  前面部
１３ａ  本体部調整ボルト貫通孔
１４  固定片
１４ａ  固定孔
１５  係止リブ
２  押圧部
２１  押圧部側壁
２１ａ  押圧部側斜辺
２１ｂ  押圧固定部
２１ｃ  補助斜面
２２  押圧部前面壁
２２ａ  押圧部調整ボルト螺設孔
３  調整ボルト
Ｋ  切欠き部
Ｐ  脚部
Ｐ１  下端板
Ｐ２  上端板
Ｓ  温水器固定金物
Ｓ１  第１温水器固定金物
Ｓ２  第２温水器固定金物
【図１】
0005501856.tif 000002
【図２】
0005501856.tif 000003
【図３】
0005501856.tif 000004
【図４】
0005501856.tif 000005
【図５】
0005501856.tif 000006
【図６】
0005501856.tif 000007